(57)【要約】  あらゆる素材の被り物を除菌及び脱臭することができ、しかも、小型で且つ低消費電力の被り物クリーナ及び被り物スタンドを提供する。  被り物クリーナ１−１は、オゾン発生体２と電圧供給部５とを備える。オゾン発生体２は、オゾン発生体本体３−１と連結部４とで構成される。オゾン発生体本体３−１は、１２枚の葉片部３０が放射状に延出した形状をなす。電圧供給部５は、オゾンを発生させるために必要な電圧をオゾン発生体２に供給する。
2019098100.tif 000002
【特許請求の範囲】
【請求項１】
ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、
上記オゾン発生体は、誘電体と１対以上の電極とを有し、
各対の電極は、少なくとも一方の電極が上記誘電体で被覆されており、
上記電圧供給部は、オゾンを発生させるために必要な電圧をオゾン発生体の上記１対以上の電極に供給するものである、
ことを特徴とする被り物クリーナ。
【請求項２】
請求項１に記載の被り物クリーナにおいて、
上記オゾン発生体は、頂部から放射状に延出した状態で全体形状が略半球殻状になるように下方に湾曲された複数の葉片部と、円形状に並ぶ複数の葉片部の下端部に連結して複数の葉片部の全体形状を上記略半球殻状に維持する連結部とを備える、
ことを特徴とする被り物クリーナ。
【請求項３】
請求項２に記載の被り物クリーナにおいて、
上記オゾン発生体は、上記連結部を外すことで、上記複数の葉片部が上記頂部に対応する中心部から放射状に延出した平面形状に展開することができる、
ことを特徴とする被り物クリーナ。
【請求項４】
請求項１に記載の被り物クリーナにおいて、
上記オゾン発生体は、複数の下端部が円形状に連結された状態で全体形状が略半球殻状になるように上方に湾曲された複数の葉片部と、これら複数の葉片部の上端部の全てを頂部で連結すると共に隣り合う特定の葉片部同士を連結して複数の葉片部の全体形状を上記略半球殻状に維持する連結部とを備える、
ことを特徴とする被り物クリーナ。
【請求項５】
請求項４に記載の被り物クリーナにおいて、
上記オゾン発生体は、上記連結部を外すことで、上記複数の下端部が連結した状態で複数の葉片部が横方向に並んだ平面形状に展開することができる、
ことを特徴とする被り物クリーナ。
【請求項６】
請求項１に記載の被り物クリーナにおいて、
上記オゾン発生体は、複数の環状部とこれらを連結した連結部とを備え、
各環状部の下開口部の大きさが、上開口部の大きさよりも大きく設定され、
上位の環状部の下開口部の大きさとこの上位の環状部に連結される下位の環状部の上開口部の大きさとが、略等しく設定され、
上記上位の環状部の下開口部が上記下位の環状部の上開口部に嵌め合わせられた状態で、上記複数の環状部が、頂部から下方に向かって直列に配設され、
上記連結部によって、上記上位の環状部と上記下位の環状部とが上下方向に移動可能に連結されている、
ことを特徴とする被り物クリーナ。
【請求項７】
請求項１ないし請求項６のいずれかに記載の被り物クリーナにおいて、
上記オゾン発生体の誘電体は、誘電率３以上で且つ絶縁破壊電圧１５ｋＶ／ｍｍ以上の高分子樹脂で形成されている、
ことを特徴とする被り物クリーナ。
【請求項８】
請求項１ないし請求項７のいずれかに記載の被り物クリーナにおいて、
上記オゾン発生体の表面に、オゾン発生体表面と被り物内面との距離を１０ｍｍ以下に保持するためのスペーサを設けた、
ことを特徴とする被り物クリーナ。
【請求項９】
請求項８に記載の被り物クリーナにおいて、
上記スペーサは、上記オゾン発生体の表面に突設された高さ１０ｍｍ以下の突起物である、
ことを特徴とする被り物クリーナ。
【請求項１０】
請求項８に記載の被り物クリーナにおいて、
上記スペーサは、上記オゾン発生体の表面に取り付けられた高さ１０ｍｍ以下の線状体である、
ことを特徴とする被り物クリーナ。
【請求項１１】
請求項１ないし請求項１０のいずれかに記載の被り物クリーナにおいて、
上記オゾン発生体における各対の電極は、それぞれ櫛歯状に形成され、これら各対の電極の櫛歯同士が、一定間隔を保って、噛み合っている、
ことを特徴とする被り物クリーナ。
【請求項１２】
請求項１ないし請求項１０のいずれかに記載の被り物クリーナにおいて、
上記オゾン発生体における各対の電極の一方の電極を、上記誘電体内部に収納し、多数の孔を有した他方の電極又は櫛歯状の他方の電極のいずれかを、当該一方の電極に対向させた状態で、上記誘電体上に配設した、
ことを特徴とする被り物クリーナ。
【請求項１３】
上部の表面が略半球面状をなし且つヘルメット等の被り物を被せることが可能な被り物受け部と、
起立可能であり且つ上記被り物受け部を上部で支持可能な支持部と、
上記オゾン発生体が上記被り物受け部に被せるように取り付けられ且つ上記電圧供給部が上記支持部に配設された請求項１ないし請求項１２のいずれかに記載の被り物クリーナと
を備えることを特徴とする被り物スタンド。
【発明の詳細な説明】
【技術分野】
【０００１】
この発明は、ヘルメット、帽子及びカツラ等の被り物を除菌及び脱臭することができる被り物クリーナ及び被り物スタンドに関するものである。
【背景技術】
【０００２】
ヘルメット、帽子及びカツラ等の被り物の洗浄は、水洗いが一般的である。従来、この種の技術としては、例えば、特許文献１に記載の被り物クリーナがある。
この被り物クリーナは、ヘルメット等の被り物を内部に固定する洗浄槽と、被り物の洗浄手段と乾燥手段を備えている。
かかる構成により、被り物に付着していた汗、皮脂、臭気等が、羽根車によって流動された洗浄水の機械力とこの洗浄水に混合された洗剤の化学作用とにより取り除かれる。【０００３】
また、別の技術として、例えば、特許文献２に記載の被り物クリーナがある。
この被り物クリーナは、被り物を載置する略半球状の載置台と、オゾンを生成するためのオゾン生成手段と、生成されたオゾンを含んだ空気を吹出口から吹き出させる送風ファンとを備えている。そして、全体としてスタンド形状をしている。
かかる構成により、被り物を載置台に被せた状態で、被り物クリーナを駆動させると、オゾン生成手段で生成されたオゾンが、送風ファンによって空気と共に載置台の吹出口から吹き出され、被り物の内面が、このオゾンによって除菌及び脱臭される。
【先行技術文献】
【特許文献】
【０００４】
【特許文献１】特開平１０−１９２７９８号公報
【特許文献２】実用新案登録第３０６７６５３号公報
【発明の概要】
【発明が解決しようとする課題】
【０００５】
しかし、上記した従来の被り物クリーナでは、次のような問題があった。
まず、被り物を水と洗剤とで洗浄する被り物クリーナでは、水を洗浄槽内に給水及び排水するための設備や乾燥のための電源装置が必要であるため、被り物クリーナを設置する場所が限定される問題がある。また、水洗いが禁止されている革製の被り物等には、使用することができない。また、水洗いであるため、除菌や脱臭効果が低いという問題もある。【０００６】
これに対して、被り物をオゾンを用いて除菌及び脱臭する被り物クリーナでは、水洗い用の被り物クリーナで生じた問題が生じるおそれはないが、送風ファン等の大型の装置を被り物クリーナの内部に装着する必要があるため、被り物クリーナ自体が大型化してしまう。また、オゾン生成手段と送風ファンを駆動させるために、大きな電力を電源からこれらの装置に供給しなければならず、消費電力の面でも問題がある。【０００７】
この発明は、上述した課題を解決するためになされたもので、あらゆる素材の被り物を除菌及び脱臭することができ、しかも、小型で且つ低消費電力の被り物クリーナ及び被り物スタンドを提供することを目的とする。
【課題を解決するための手段】
【０００８】
上記課題を解決するために、請求項１の発明は、ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、オゾン発生体は、誘電体と１対以上の電極とを有し、各対の電極は、少なくとも一方の電極が誘電体で被覆されており、電圧供給部は、オゾンを発生させるために必要な電圧をオゾン発生体の１対以上の電極に供給するものである構成とした。
かかる構成により、ユーザは、ヘルメット等の被り物を、略半球殻状のオゾン発生体に被せることができる。又は、略半球殻状のオゾン発生体を、被り物の内面側に挿入することができる。このとき、被り物の内面形状が略半球状であれば、オゾン発生体が被り物の内側にフィットする。また、被り物の内面形状が略半球状でない場合であっても、オゾン発生体がフレキシブルな素材で形成されているので、オゾン発生体が被り物の内面形状に追従して変形し、被り物の内側にフィットする。
この状態で、電圧供給部を作動させると、所定の電圧が、オゾン発生体の１対以上の電極に供給され、オゾンが、オゾン発生体から放出される。
このとき、オゾン発生体の表面が、被り物の内面に近接した状態になっているので、オゾン発生体から放出されたオゾンが、被り物の内側を十分に除菌及び脱臭する。
つまり、被り物は、その素材の種類に拘わらず、近くのオゾン発生体から放出されたオゾンによって十分に除菌及び脱臭されることとなる。このため、上記した従来の被り物クリーナでは、オゾン送風用の送風ファン等の器具が必要であったが、この発明の被り物クリーナでは、これらの器具が不要となり、その分、被り物クリーナの小型化と省電力化とを図ることができる。【０００９】
請求項２の発明は、請求項１に記載の被り物クリーナにおいて、オゾン発生体は、頂部から放射状に延出した状態で全体形状が略半球殻状になるように下方に湾曲された複数の葉片部と、円形状に並ぶ複数の葉片部の下端部に連結して複数の葉片部の全体形状を略半球殻状に維持する連結部とを備える構成とした。
かかる構成により、隣り合う葉片部同士を近けたり又は離したりして、オゾン発生体の直径を調整することができるので、各種サイズの被り物をオゾン発生体に被せて、除菌及び脱臭することができる。【００１０】
請求項３の発明は、請求項２に記載の被り物クリーナにおいて、オゾン発生体は、連結部を外すことで、複数の葉片部が頂部に対応する中心部から放射状に延出した平面形状に展開することができる構成とした。
かかる構成により、被り物クリーナの未使用時に、オゾン発生体を平面形状に展開することで、被り物クリーナ全体をさらに小型化することができる。その結果、未使用時における被り物クリーナの保管場所を省スペース化することができる。
また、オゾン発生体を平面形状に展開して、被り物クリーナを使用することで、立体的な被り物だけでなく、平面的な物も除菌及び脱臭することができる。【００１１】
請求項４の発明は、請求項１に記載の被り物クリーナにおいて、オゾン発生体は、複数の下端部が円形状に連結された状態で全体形状が略半球殻状になるように上方に湾曲された複数の葉片部と、これら複数の葉片部の上端部の全てを頂部で連結すると共に隣り合う特定の葉片部同士を連結して複数の葉片部の全体形状を略半球殻状に維持する連結部とを備える構成とした。【００１２】
請求項５の発明は、請求項４に記載の被り物クリーナにおいて、オゾン発生体は、連結部を外すことで、複数の下端部が連結した状態で複数の葉片部が横方向に並んだ平面形状に展開することができる構成とした。【００１３】
請求項６の発明は、請求項１に記載の被り物クリーナにおいて、オゾン発生体は、複数の環状部とこれらを連結した連結部とを備え、各環状部の下開口部の大きさが、上開口部の大きさよりも大きく設定され、上位の環状部の下開口部の大きさとこの上位の環状部に連結される下位の環状部の上開口部の大きさとが、略等しく設定され、上位の環状部の下開口部が下位の環状部の上開口部に嵌め合わせられた状態で、複数の環状部が、頂部から下方に向かって直列に配設され、連結部によって、上位の環状部と下位の環状部とが上下方向に移動可能に連結されている構成とした。
かかる構成により、ユーザは、ヘルメット等の被り物を、略半球殻状のオゾン発生体に被せることができる。又は、略半球殻状のオゾン発生体を、被り物の内面側に挿入することができる。このとき、上位の環状部と下位の環状部とを上下方向に移動させて、複数の環状部を連結部で連結することにより、オゾン発生体の深さを自由に調整することができる。【００１４】
請求項７の発明は、請求項１ないし請求項６のいずれかに記載の被り物クリーナにおいて、オゾン発生体の誘電体は、誘電率３以上で且つ絶縁破壊電圧１５ｋＶ／ｍｍ以上の高分子樹脂で形成されている構成とした。
かかる構成により、オゾン発生体が高電圧に耐え得る強い素材になり、しかも、オゾンを生じさせるためのプラズマが発生し易くなる。【００１５】
請求項８の発明は、請求項１ないし請求項７のいずれかに記載の被り物クリーナにおいて、オゾン発生体の表面に、オゾン発生体表面と被り物内面との距離を１０ｍｍ以下に保持するためのスペーサを設けた構成とする。
かかる構成により、除菌及び脱臭し難いざらざらした内面や布等の内面等を有する被り物であっても、確実且つ効果的に除菌及び処理することができる。            【００１６】
請求項９の発明は、請求項８に記載の被り物クリーナにおいて、スペーサは、オゾン発生体の表面に突設された高さ１０ｍｍ以下の突起物である構成とした。【００１７】
請求項１０の発明は、請求項８に記載の被り物クリーナにおいて、スペーサは、オゾン発生体の表面に取り付けられた高さ１０ｍｍ以下の線状体である構成とした。【００１８】
請求項１１の発明は、請求項１ないし請求項１０のいずれかに記載の被り物クリーナにおいて、オゾン発生体における各対の電極は、それぞれ櫛歯状に形成され、これら各対の電極の櫛歯同士が、一定間隔を保って、噛み合っている構成とした。【００１９】
請求項１２の発明は、請求項１ないし請求項１０のいずれかに記載の被り物クリーナにおいて、オゾン発生体における各対の電極の一方の電極を、誘電体内部に収納し、多数の孔を有した他方の電極又は櫛歯状の他方の電極のいずれかを、当該一方の電極に対向させた状態で、誘電体上に配設した構成とする。【００２０】
請求項１３の発明に係る被り物スタンドは、上部の表面が略半球面状をなし且つヘルメット等の被り物を被せることが可能な被り物受け部と、起立可能であり且つ被り物受け部を上部で支持可能な支持部と、オゾン発生体が被り物受け部に被せるように取り付けられ且つ電圧供給部が支持部に配設された請求項１ないし請求項１２のいずれかに記載の被り物クリーナとを備える構成とした。
かかる構成により、支持部を起立させた状態で、被り物を被り物受け部に被せると、被り物クリーナのオゾン発生体が被り物の内側に配置された状態になり、被り物が被り物受け部によって確実に保持される。
この状態で、支持部に配設された電圧供給部を作動させると、所定の電圧が、オゾン発生体の１対以上の電極に供給され、オゾンが、オゾン発生体から放出される。
この結果、オゾンが被り物の内面に向かって放出され、被り物の内側が除菌及び脱臭されることとなる。
【発明の効果】
【００２１】
以上詳しく説明したように、この発明によれば、被り物の素材の種類に拘わらず、被り物を近くのオゾン発生体から放出されたオゾンによって十分に除菌及び脱臭することができるので、オゾン送風用の送風ファン等の器具が不要となり、その分、被り物クリーナの小型化と省電力化とを図ることができる、という優れた効果がある。【００２２】
また、請求項２及び請求項４の発明によれば、各種サイズの被り物に対して除菌及び脱臭することができる、という効果がある。【００２３】
さらに、請求項３及び請求項５の発明によれば、被り物クリーナ全体をさらに小型化することができ、その結果、未使用時における被り物クリーナの保管場所を省スペース化することができると共に、立体的な被り物だけでなく、平面的な物も除菌及び脱臭することができる、という効果がある。【００２４】
また、請求項６の発明によれば、オゾン発生体の深さを自由に調整することができる、という効果がある。【００２５】
また、請求項７の発明によれば、オゾン発生体が高電圧に耐え得る強い素材になり、しかも、オゾンを生じさせるためのプラズマが発生し易くなる、という効果がある。【００２６】
そして、請求項８の発明によれば、除菌及び脱臭し難い被り物であっても、確実且つ効果的に除菌及び脱臭することができる、という効果がある。            
【図面の簡単な説明】
【００２７】
【図１】この発明の第１実施例に係る被り物クリーナを示す斜視図である。
【図２】オゾン発生体本体を展開して示す構造図である。
【図３】展開したオゾン発生体本体を一部破断して示す概略平面図である。
【図４】１対の電極の構造を示す部分拡大図である
【図５】断面で示すオゾン発生体本体と電圧供給部との接続を示す電気接続図である。
【図６】展開されたオゾン発生体本体の内側面の端子と電圧供給部との接続を示す電気接続図である。
【図７】実施例の作用及び効果を説明するための概略断面図である。
【図８】オゾン発生体のサイズ調整機能を説明するための斜視図である。
【図９】第１実施例の第１変形例の要部である電圧供給部を示すブロック回路図である。
【図１０】第１実施例の第２変形例の要部であるオゾン発生体本体を一部破断して示す部分拡大図である。
【図１１】第２変形例の要部であるオゾン発生体本体の内側面を示す部分拡大図である。
【図１２】第１実施例の第３変形例の要部を示す概略断面図である。
【図１３】この発明の第２実施例に係る被り物クリーナを示す斜視図である。
【図１４】除菌及び脱臭作用を説明するための概略断面図である。
【図１５】菌の生存状態を示す写真の転写図である。
【図１６】菌の生存率と距離との関係を示す線図である。
【図１７】この発明の第３実施例に係る被り物クリーナを示す斜視図である。
【図１８】第３実施例の第１変形例を示す斜視図である。
【図１９】第３実施例の第２変形例を示す斜視図である。
【図２０】この発明の第４実施例に係る被り物クリーナの要部を示す概略断面図である。
【図２１】図２０に示す要部を分解して示す斜視図である。
【図２２】第４実施例で適用された電極の変形例を示す平面図であり、図２２の（ａ）は、第４実施例の第１変形例を示し、図２２の（ｂ）は、第４実施例の第２変形例を示す。
【図２３】この発明の第５実施例に係る被り物クリーナを示す斜視図である。
【図２４】オゾン発生体の分解斜視図である。
【図２５】この発明の第６実施例に係る被り物クリーナを示す斜視図である。
【図２６】オゾン発生体の展開図である。
【図２７】第６実施例の変形例に係るオゾン発生体本体の電気的構造を示す平面図である。
【図２８】この発明の第７実施例に係る被り物スタンドの斜視図である。
【図２９】被り物スタンドの概略断面図である。
【図３０】この発明の第８実施例に係る被り物スタンドを示す概略断面図である。
【図３１】この発明の第９実施例に係る被り物スタンドを示す概略断面図である。
【図３２】連結部の変形例を示す斜視図である。
【発明を実施するための形態】
【００２８】
以下、この発明の最良の形態について図面を参照して説明する。
【００２９】
（実施例１）
図１は、この発明の第１実施例に係る被り物クリーナを示す斜視図であり、図２は、オゾン発生体本体を展開して示す構造図である。
図１に示すように、この実施例の被り物クリーナ１−１は、オゾン発生体２と電圧供給部５とを備えている。
【００３０】
オゾン発生体２は、被り物を被せるための略半球殻状の部材である。被り物としては、ヘルメット，帽子及びカツラ等を提示することができるが、この実施例では、被り物としてヘルメット１００を例示する。
オゾン発生体２は、オゾン発生体本体３−１と連結部４とで構成されており、オゾン発生体本体３−１の形状が連結部４によって保持される構造になっている。
具体的には、図２に示すように、オゾン発生体本体３−１は、連結部４をオゾン発生体本体３−１から取り外すことで平面形状に展開することができる。オゾン発生体本体３−１は、かかる展開状態では、同形の１２枚の葉片部３０が中心部Ｏから放射状に延出した形状をしている。
【００３１】
図３は、展開したオゾン発生体本体を一部破断して示す概略平面図であり、図４は、１対の電極の構造を示す部分拡大図である。
図３に示すように、各葉片部３０は、シート状の誘電体３２とこの誘電体３２によって被覆された１対の電極３１ａ，３１ｂとで形成されている。
具体的には、誘電体３２は、２層の誘電体層３２ａ，３２ｂで構成されており、１対の電極３１ａ，３１ｂが下層の誘電体層３２ｂ上に形成され、上層の誘電体層３２ａが、電極３１ａ，３１ｂを覆うように、誘電体層３２ｂ上に積層されている。
【００３２】
このような１２枚の葉片部３０を有するオゾン発生体本体３−１は、全てフレキシブルな高分子樹脂で形成されている。
具体的には、誘電体層３２ａ，３２ｂが、誘電率３以上で且つ絶縁破壊電圧１５ｋＶ／ｍｍ（キロボルト／ミリ）以上の高分子樹脂で形成されている。この実施例では、このような高分子樹脂として、ポリイミド、シリコーン、ＰＥＴ（ポリエチレンテレフタレート）、塩化ビニルのいずれかを用いる。そして、各対の電極３１ａ，３１ｂも高分子樹脂である導電性ポリマーで形成した。
【００３３】
また、図４に示すように、各対の電極３１ａ，３１ｂは、それぞれ櫛歯状に形成されている。即ち、複数の櫛歯同士が、一定間隔を保って、噛み合っている。そして、図３にも示すように、１２個の電極３１ａの全てが、オゾン発生体本体３−１の中心部であって且つ誘電体層３２ｂ上に設けられた１つの端子３１ｃに接続され、１２個の電極３１ｂが、端子３１ｃの周りに配設された１２個の端子３１ｄに別々に接続されている。
【００３４】
上記のような構造のオゾン発生体本体３−１は、図２に示すように、マジックテープ（「マジックテープ」は登録商標である）片３ａを各葉片部３０の下端部３０ａ表面に有している。
一方、連結部４は、帯状体であり、マジックテープ４ａがその内側のほぼ全面に貼り付けられている。
これにより、１２枚の葉片部３０の下端部３０ａが円形状に並ぶように、全ての葉片部３０を図２の裏面側に湾曲させてることにより、オゾン発生体本体３−１の全体形状を略半球殻状に形成することができる。かかる状態で、マジックテープ４ａ側をオゾン発生体本体３−１側に向けて、連結部４を円形状に並ぶ葉片部３０の下端部３０ａに巻き付けることで、マジックテープ片３ａとマジックテープ４ａとが接合し、オゾン発生体本体３−１の全体形状が略半球殻状に保持される。
【００３５】
図５は、断面で示すオゾン発生体本体と電圧供給部との接続を示す電気接続図であり、図６は、展開されたオゾン発生体本体の内側面の端子と電圧供給部との接続を示す電気接続図である。
図１に示した電圧供給部５は、オゾンを発生させるために必要な電圧をオゾン発生体２に供給するため部分であり、図５及び図６に示すように、オゾン発生体本体３−１の内面中央部に設けられた端子３１ｅ，３１ｆに電気的に接続されている。
【００３６】
詳しくは、図１に示すように、昇圧回路５１が、電圧供給部５の筐体５０内に収納され、スイッチ５２とＬＥＤランプ５３とが、筐体５０の天面に取り付けられている。
かかる電圧供給部５の電源は、商用交流電源であり、図５及び図６に示すように、商用交流電源用のコンセントプラグ５４が、スイッチ５２を介して、昇圧回路５１の入力端に電気的に接続されている。そして、ＬＥＤランプ５３が、昇圧回路５１とスイッチ５２との間に接続されている。
【００３７】
昇圧回路５１の一方の出力端５１ａは、配線５ａを通じて、オゾン発生体本体３−１の内側中央部に設けられた１つの円形状の端子３１ｅに接続され、他方の出力端５１ｂは、配線５ｂを通じて、端子３１ｅの外側に設けられたリング状の端子３１ｆに接続されている。
ところで、図５に示すように、オゾン発生体本体３−１内の中央に位置した端子３１ｃは、ビアホールを通じて、円形の端子３１ｅに接続され、また、端子３１ｃの周りの１２個の全ての端子３１ｄは、ビアホールを通じて、リング状の端子３１ｆに接続されている。そして、図３及び図４に示したように、１２個の電極３１ａの全てが、端子３１ｃに接続され、１２個の電極３１ｂが１２個の端子３１ｄにそれぞれ接続されている。したがって、電圧供給部５の出力端５１ａは、配線５ａ，端子３１ｅ，３１ｃを通じて、１２個の電極３１ａの全てに電気的に接続され、出力端５１ｂは、配線５ｂ，端子３１ｆ，３１ｄを通じて、１２の電極３１ｂの全てに電気的に接続されている。つまり、１２対の電極３１ａ，３１ｂは、電圧供給部５に並列に接続されている。
これにより、スイッチ５２をオンにすると、電圧供給部５の昇圧回路５１が、コンセントプラグ５４から入力した商用交流電圧を、オゾン発生に必要な電圧に昇圧して、オゾン発生体本体３−１の１２対の電極３１ａ，３１ｂにそれぞれ供給することができる。
【００３８】
次に、この実施例の被り物クリーナの使用例について説明する。
図７は、実施例の作用及び効果を説明するための概略断面図である。
図７において、二点鎖線で示すヘルメット１００を除菌及び脱臭する場合には、まず、ヘルメット１００を被り物クリーナ１−１のオゾン発生体２に被せるか、又は被り物クリーナ１−１をヘルメット１００内に挿入する。
このとき、ヘルメット１００の内面１０１の形状がオゾン発生体２と同じく半球状であれば、オゾン発生体２がヘルメット１００の内側に完全にフィットする。
しかし、ヘルメット１００の内面形状が半球状でない場合には、オゾン発生体２に被させることができないおそれがある。しかしながら、上記したように、オゾン発生体２は、フレキシブルな素材で形成されているので、ヘルメット１００の形状とオゾン発生体２の形状とが異なっている場合であっても、オゾン発生体２がヘルメット１００の内面１０１の形状に追従して変形する。この結果、オゾン発生体２がヘルメット１００の内側に完全にフィットする。
【００３９】
次に、コンセントプラグ５４を図示しない商用交流電源のコンセントジャックに挿入して、電圧供給部５のスイッチ５２をオンにすると、ＬＥＤランプ５３が点灯して、電圧供給部５が作動し、所定の電圧が、昇圧回路５１から配線５ａ，５ｂを通じて、オゾン発生体２の１２対の電極３１ａ，３１ｂに供給される。これにより、放電が各対の電極３１ａ，３１ｂ間で生じ、オゾンＯ3が、オゾン発生体２のオゾン発生体本体３−１の表面３ｂから周囲に放出されることとなる。
しかも、オゾン発生体本体３−１の表面３ｂが、ヘルメット１００の内面１０１に近接した状態になっているので、オゾン発生体本体３−１から放出されたオゾンＯ3が、ヘルメット１００の内面１０１全体を確実に除菌及び脱臭する。
さらに、オゾン発生体本体３−１の誘電体３２が、誘電率３以上で且つ絶縁破壊電圧１５ｋＶ／ｍｍ以上の高分子樹脂で形成されているので、オゾン発生体本体３−１が高電圧に耐え得ることができ、しかも、オゾンＯ3を生じさせるためのプラズマが発生し易くなる。
【００４０】
また、ヘルメット１００のような立体的な物ではなく、平面的な物も除菌及び脱臭したい場合には、図２に示したように、連結部４をオゾン発生体本体３−１から取り外して、オゾン発生体本体３−１を平面形状に展開する。かかる状態で、平面的な物を展開状態のオゾン発生体本体３−１上に載せる等して、除菌及び脱臭することができる。
【００４１】
被り物クリーナ１−１による除菌及び脱臭作業が終了したときには、図７に示す電圧供給部５のスイッチ５２をオフにする。これにより、コンセントジャックからの交流電圧の入力が断たれると共に、ＬＥＤランプ５３が消灯状態になる。
使用後に、被り物クリーナ１−１を保管する場合には、オゾン発生体２を立体形状にした状態で、電圧供給部５と共に、保管場所に保管することができる。しかし、保管場所が狭い場合には、図２に示したように、オゾン発生体２のオゾン発生体本体３−１を平面形状に展開することにより、被り物クリーナ１−１を狭い保管場所でも容易に保管することができる。
【００４２】
図８は、オゾン発生体のサイズ調整機能を説明するための斜視図である。
予め、オゾン発生体２の大きさを調整しておきたい場合には、図８の矢印に示すように、オゾン発生体本体３−１の葉片部３０の下端部３０ａをオゾン発生体本体３−１の横方向にずらして、隣り合う葉片部３０同士を近ける。これにより、オゾン発生体本体３−１の直径を小さくすることができる。そして、葉片部３０の下端部３０ａを図８の矢印とは逆方向にずらして、隣り合う葉片部３０同士を離すことにより、オゾン発生体本体３−１の直径を大きくすることができる
つまり、この実施例の被り物クリーナ１−１によれば、各種サイズのヘルメット１００に適用することができるように、オゾン発生体２の大きさを調整することができる。
【００４３】
（変形例１）
図９は、第１実施例の第１変形例の要部である電圧供給部を示すブロック回路図である。
図９に示すように、この変形例では、タイマ５５が電圧供給部５内に設けられている。
具体的には、タイマ５５がスイッチ５２と昇圧回路５１との間に介設されている。
これにより、スイッチ５２をオンすると、タイマ５５と昇圧回路５１とが作動する。そして、タイマ５５に設定された駆動時間（例えば２時間）が経過すると同時に、タイマ５５が昇圧回路５１を自動的に停止させる。
【００４４】
（変形例２）
図１０は、第１実施例の第２変形例の要部であるオゾン発生体本体を一部破断して示す部分拡大図であり、図１１は、第２変形例の要部であるオゾン発生体本体の内側面を示す部分拡大図である。
上記第１実施例では、図３及び図４に示したように、１２対の電極３１ａ，３１ｂを１つの電圧供給部５に並列に接続した例を記載したが、１２対の電極３１ａ，３１ｂを複数の電圧供給部５に振り分けて接続することで、安定した電圧を各対の電極３１ａ，３１ｂに供給することができる。
例えば、図１０に示すように、１２個の電極３１ｂを、１２個の端子３１ｄに別々に接続すると共に、電極３１ａを４個つづ、３つの端子３１ｃ１〜３１ｃ３に別々に接続する。
そして、図１１に示すように、３つの端子３１ｃ１〜３１ｃ３を、ビアホールを通じて、オゾン発生体本体３−１の内側に設けた３つの端子３１ｅ１〜３１ｅ３にそれぞれ接続する。また、４つの端子３１ｄを、ビアホールを通じて、３つの弧状の端子３１ｆ１〜３１ｆ３の各端子３１ｆ１（３１ｆ２，３１ｆ３）に接続する。そして、電圧供給部５−１を、配線５ａ，５ｂを通じて、端子３１ｅ１，３１ｆ１に、電圧供給部５−２を、配線５ａ，５ｂを通じて、端子３１ｅ２，３１ｆ２に、電圧供給部５−３を、配線５ａ，５ｂを通じて、端子３１ｅ３，３１ｆ３に接続する。
【００４５】
（変形例３）
図１２は、第１実施例の第３変形例の要部を示す概略断面図である。
上記第１実施例では、図５に示したように、オゾン発生体２のオゾン発生体本体３−１を電極３１ａ，３１ｂと誘電体３２とのみで形成したが、図１２に示す変形例のように、可撓性と剛性のある基材３３を誘電体３２の下側に取り付けることで、オゾン発生体本体３−１全体の強度を高めることができる。この結果、ヘルメット１００をオゾン発生体２に被せると、ヘルメット１００がオゾン発生体２上で安定する。
【００４６】
（実施例２）
次に、この発明の第２実施例について説明する。
図１３は、この発明の第２実施例に係る被り物クリーナを示す斜視図であり、図１４は、除菌及び脱臭作用を説明するための概略断面図である。
この実施例の被り物クリーナ１−２では、複数のスペーサ４０をオゾン発生体２のオゾン発生体本体３−１の表面３ｂに突設した点が、上記第１実施例と異なる。
【００４７】
具体的には、図１３に示すように、高さｈが１０ｍｍ以下の複数のスペーサ４０を、散点状にオゾン発生体本体３−１の表面３ｂに配設した。
これにより、図１４に示すように、被り物クリーナ１−２のオゾン発生体２を二点鎖線で示したヘルメット１００内に挿入すると、スペーサ４０によって、隙間Ｓが、オゾン発生体本体３−１の表面３ｂとヘルメット１００の内面１０１との間に発生する。この結果、多量の空気が外部からこの隙間Ｓに導かれ、オゾン発生体本体３−１によるオゾン発生が活発化する。
【００４８】
ところで、ヘルメット１００を被り物クリーナ１−２に被せて、除菌及び脱臭する際に、ヘルメット１００の内面１０１がつるつるしている場合には、オゾン発生体本体３−１の表面３ｂとヘルメット１００の内面１０１との距離の如何にかかわらず、内面１０１に居る菌をオゾンによってほぼ完全に除菌及び脱臭することができる。
しかし、ヘルメット１００の内面１０１がざらざらしている場合や、ざらざらした素材，布や合皮が内面１０１に貼り付けられている場合には、当該内面１０１とオゾン発生体本体３−１の表面３ｂとの距離が大きいと、除菌効果がほとんど得られない。
そこで、この実施例では、スペーサ４０の高さｈを１０ｍｍ以下の範囲内に設定して、除菌対象であるヘルメット１００のざらざらした内面１０１をオゾン発生体本体３−１の表面３ｂの近傍に位置させるようにした。
これにより、オゾン発生体本体３−１の表面３ｂから発生するオゾンやラジカル等が、効果的にヘルメット１００の内面１０１に当たり、高い除菌、脱臭効果が得られることとなる。
【００４９】
発明者等は、かかる効果を実証すべく、次のような実験を行った。
図１５は、菌の生存状態を示す写真の転写図である。
発明者等は、この実験を一般的な室内環境で行った。
まず、準備として、雑菌（一般生菌、以下「菌Ｋ」と記す）を別途培養し、この菌Ｋを図示しないポリエステル綿混紡の布片に噴霧した後、布片を乾燥させた。
そして、この準備しておいた布片の表面を、５ｃｍ角の培地Ｂでふき取り、３５℃の温度下で４８時間、菌Ｋをこの培地Ｂで培養した。すると、図１５の（ａ）に示すように、５ｃｍ角の培地Ｂに、「１３７」個の菌Ｋが生存していた。
つまり、オゾン処理をしない状態では、菌Ｋの生存数は、「１３７」であることを確認した。
次に、準備しておいた上記布片を、菌Ｋが噴霧された面をオゾン発生体本体３−１の葉片部３０と同構造の電極シート（図示省略）に対面させた状態で、電極シートの真下ｘｍｍに固定した。かかる状態で、オゾンを電極シートから発生させ、布片をオゾン中に２時間晒した。このとき、周波数１３Ｈｚでｐ−ｐ１４ｋＶのパルス電源を電極シートに供給して、オゾンを発生させた。
しかる後、オゾン処理されたこの布片の表面を、５ｃｍ角の培地Ｂでふき取り、３５℃の温度下で４８時間、菌Ｋをこの培地Ｂで培養した。
布片と電極シートとの距離ｘｍｍを、２ｍｍ、５ｍｍ、１０ｍｍ、２０ｍｍ、３０ｍｍに設定して、上記のオゾン処理を行った。すると、布片と電極シートとの距離２ｍｍでは、図１５の（ｂ）に示すように、５ｃｍ角の培地Ｂにおける菌Ｋの生存数は、「１」であり、距離５ｍｍでは、図１５の（ｃ）に示すように、菌Ｋの生存数は、「１９」であり、距離１０ｍｍでは、図１５の（ｄ）に示すように、菌Ｋの生存数は、「５１」であり、距離２０ｍｍでは、図１５の（ｅ）に示すように、菌Ｋの生存数は、「１０３」であり、距離３０ｍｍでは、図１５の（ｆ）に示すように、菌Ｋの生存数は、「１０２」であった。
つまり、オゾン処理をした状態では、布片と電極シートとの距離を増加させると、菌Ｋの生存数が増加することを確認した。
【００５０】
図１６は、菌Ｋの生存率と距離との関係を示す線図である。
発明者等は、菌Ｋの生存率を、（オゾン処理後の菌数÷オゾン未処理の菌数）×１００（％）として定義し、上記オゾン処理における電極シート／布片間距離と菌Ｋの生存率との関係をプロットした。
すると、図１６に示すように、点ｐ１〜ｐ５を得た。
点ｐ１，ｐ２，ｐ３が示すように、距離２ｍｍ，５ｍｍ，１０ｍｍでは、生存率が、１％，１４％，３７％であり、基準生存率５０％を下回っている。
ところが、点ｐ４，ｐ５が示すように、距離２０ｍｍ，３０ｍｍでは、７５％，７４％であり、基準生存率５０％を大きく上回っている。
かかる実験結果から、生存率が確実に「５０」％未満になる布片と電極シートとの距離は、１０ｍｍ以下であると判断することができる。
そこで、発明者等は、図１３及び図１４に示すスペーサ４０で保持する距離ｈを、１０ｍｍ以下の範囲内に設定した。すなわち、ヘルメット１００の内面１０１とオゾン発生体本体３−１の表面３ｂとの距離ｈを、１０ｍｍ以下の範囲内に保つことで、図１６に示すように、ヘルメット１００の内面１０１に生存する菌Ｋを、基準生存率「５０」％未満に抑制することができる。
その他の構成、作用及び効果は、上記第１実施例と同様であるので、それらの記載は省略する。
【００５１】
（実施例３）
次に、この発明の第３実施例について説明する。
図１７は、この発明の第３実施例に係る被り物クリーナを示す斜視図である。
図１７に示すように、この実施例では、スペーサの形状が、突起物状でなく、線状体である点が上記第２実施例と異なる。
具体的には、スペーサ４１は、高さが１０ｍｍ以下に設定された線状体であり、オゾン発生体本体３−１の各葉片部３０に１本ずつ取り付けられている。詳しくは、各スペーサ４１は、オゾン発生体本体３−１の頂部Ｏから葉片部３０の下端部３０ａに至るように、各葉片部３０に取り付けられている。
その他の構成、作用及び効果は、上記第１及び第２実施例と同様であるので、それらの記載は省略する。
【００５２】
（変形例４）
図１８は、第３実施例の第１変形例を示す斜視図である。
図１８に示すように、径が異なるリング状のスペーサ４２，４３が、オゾン発生体本体３−１の表面３ｂに嵌め込まれている。これらスペーサ４２，４３の高さも１０ｍｍ以下に設定されている。
【００５３】
（変形例５）
図１９は、第３実施例の第２変形例を示す斜視図である。
図１９に示すように、格子状のスペーサ４４が、オゾン発生体本体３−１の表面３ｂに被せられている。このスペーサ４４の高さも１０ｍｍ以下に設定されている。
なお、ここでは、スペーサとして格子状のスペーサ４４を例示したが、格子状のものだけでなく、多数の孔を有した板体や細い線で形成した網体でも，スペーサとして適用することができる。
【００５４】
（実施例４）
次に、この発明の第４実施例について説明する。
図２０は、この発明の第４実施例に係る被り物クリーナの要部を示す概略断面図であり、図２１は、図２０に示す要部を分解して示す斜視図である。
なお、図２０及び図２１は、オゾン発生体本体３−２の１つの葉片部３０を示している。
図２０に示すように、この実施例の被り物クリーナ１−４は、オゾン発生体本体３−２の構造が、上記実施例のオゾン発生体本体３−１と異なる。
すなわち、各対の電極３１ａ，３１ｂにおいて、一方の電極３１ａのみが誘電体３２内部に収納され、他方の電極３１ｂは、誘電体３２の表面に設けられている。
【００５５】
具体的には、図２１に示すように、ベタ状の電極３１ａが下層の誘電体層３２ｂ上に積層形成され、上層の誘電体層３２ａが、電極３１ａを覆うように誘電体層３２ｂ上に積層されている。そして、電極３１ａとほぼ同形の電極３１ｂが、誘電体層３２ａ上に形成されている。さらに、保護層３５が、電極３１ｂの上に積層されている。
また、電極３１ａの先端部には、端子部３１ａ’が設けられ、この端子部３１ａ’が誘電体層３２ｂ上の端子３１ｃに接続されている。
一方、電極３１ｂの先端部には、端子部３１ｂ’が設けられ、この端子部３１ｂ’が、誘電体層３２ａのビアホール３２ａ’を通じて、誘電体層３２ｂ上の端子３１ｄに接続されている。このような電極３１ｂには、多数の円形孔３１ｂ１が一定間隔で穿設されている。
この実施例のオゾン発生体本体３−２においても、上記第１〜第３実施例のオゾン発生体本体３−１と同様に、オゾン発生体本体３−２全体を、全て高分子樹脂で形成した。すなわち、誘電体層３２ａ，３２ｂと保護層３５とを、それぞれポリイミド樹脂で形成しただけでなく、電極３１ａ，３１ｂも高分子樹脂である導電性ポリマーで形成した。
なお、この実施例では、保護層３５を、誘電体３２の表面にある電極３１ｂの上に設けたが、保護層３５は、必須の部材ではなく、場合によっては、設けることを要しない。
その他の構成、作用及び効果は、上記第１〜第３実施例と同様であるので、それらの記載は省略する。
【００５６】
（変形例６）
図２２は、第４実施例で適用された電極の変形例を示す平面図であり、図２２の（ａ）は、第４実施例の第１変形例を示し、図２２の（ｂ）は、第４実施例の第２変形例を示す。
上記第４実施例では、図２１に示したように、多数の円形孔３１ｂ１を有した電極３１ｂを、他の電極として適用したが、図２２の（ａ）に示すように、網状の電極３１ｂを、他の電極として適用することができる。また、図２２の（ｂ）に示すように、櫛歯状の電極３１ｂを、他の電極として適用することもできる。
【００５７】
（実施例５）
次に、この発明の第５実施例について説明する。
図２３は、この発明の第５実施例に係る被り物クリーナを示す斜視図であり、図２４は、オゾン発生体の分解斜視図である。
図２３に示すように、この実施例の被り物クリーナ１−５では、オゾン発生体本体３−３が、１つの頭頂部３０−１と、３つの環状部３０−２〜３０−４と、連結部としての複数のマジックテープ片３ａ’とで形成されている。
【００５８】
具体的には、図２４に示すように、１つの頭頂部３０−１の下側に、径が異なる３つの環状部３０−２〜３０−４が順に配設されている。そして、頭頂部３０−１と３つの環状部３０−２〜３０−４とが略半球殻状に組み付けられて、オゾン発生体本体３−３を形成されている。このオゾン発生体本体３−３の形状は、マジックテープ片３ａ’によって保持されている。
【００５９】
より詳細には、各環状部３０−２（３０−３，３０−４）の下開口部３０ｅの大きさが、上開口部３０ｄの大きさよりも大きく設定されている。そして、上位の環状部３０−２（３０−３）の下開口部３０ｅの大きさとその真下の環状部３０−３（３０−４）の上開口部３０ｄの大きさとが、略等しく設定されている。また、頭頂部３０−１の開口３０ｃの大きさは、環状部３０−２の上開口部３０ｄと略等しく設定されている。
そして、頭頂部３０−１の開口３０ｃと環状部３０−２の上開口部３０ｄとが嵌め合わされ、環状部３０−２の下開口部３０ｅと環状部３０−３の上開口部３０ｄとが嵌め合わされ、環状部３０−３の下開口部３０ｅと環状部３０−４の上開口部３０ｄとが嵌めあわされた状態で、頭頂部３０−１と３つの環状部３０−２〜３０−４とが、頂部Ｏから下方に向かって直列に配設されている。
しかも、頭頂部３０−１の裏面下部に設けられたマジックテープ片３ａ’と環状部３０−２の表面上部に設けられたマジックテープ片３ａ’とが接合され、環状部３０−２の裏面下部に設けられたマジックテープ片３ａ’と環状部３０−３の表面上部に設けられたマジックテープ片３ａ’とが接合され、環状部３０−３の裏面下部に設けられたマジックテープ片３ａ’と環状部３０−４の表面上部に設けられたマジックテープ片３ａ’とが接合されており、これにより、オゾン発生体本体３−３全体が略半球殻状に保持されている。
【００６０】
なお、この実施例では、図示しないが、各環状部３０−２（３０−３，３０−４）が、１対の電極３１ａ，３１ｂを誘電体３２で被覆した構造になっており、これら３つの環状部３０−２〜３０−４に配設された３対の電極３１ａ，３１ｂが、電圧供給部５に並列に接続されている。
【００６１】
かかる構成により、ユーザは、ヘルメット１００（図１参照）を、オゾン発生体本体３−３とマジックテープ片３ａ’とで形成されたオゾン発生体２に被せることができる。又は、オゾン発生体２を、ヘルメット１００の内面側に挿入することができる。
このとき、上位の環状部３０−２（３０−３）とその真下の環状部３０−３（３０−４）とを上下方向に移動させて、マジックテープ片３ａ’同士を接合させることにより、オゾン発生体本体３−３の深さ、即ちオゾン発生体２の深さを自由に調整することができる。
その他の構成、作用及び効果は、上記第１〜第４実施例と同様であるので、それらの記載は省略する。
【００６２】
（実施例６）          
次に、この発明の第６実施例について説明する。
図２５は、この発明の第６実施例に係る被り物クリーナを示す斜視図であり、図２６は、オゾン発生体の展開図である。
図２５に示すように、この実施例の被り物クリーナ１−６は、オゾン発生体本体３−４が複数の葉片部３０で構成されている点において、上記第１実施例の被り物クリーナ１−１と同様であるが、図２６に示すように、オゾン発生体本体３−４の展開形状が、地球儀を舟形多円錐図法で展開して得た図形の上半分と類似の形状をしている点が、上記第１実施例と異なる。
【００６３】
図２５に示すように、１０枚の葉片部３０の下端部３０ａが円形状に連結されている。オゾン発生体本体３−４は、かかる下端部３０ａの連結状態において、１０枚の葉片部３０の上端部側が上方に湾曲された構造をしている。そして、連結部としての複数のマジックテープ片３ａ，３ａ’が、１０枚の葉片部３０の全体形状を、略半球殻状に保持している。
【００６４】
具体的には、図２６に示すように、右端の葉片部３０（以下、「葉片部３０Ａ」と記す。）において、マジックテープ片３ａが、葉片部３０Ａの下端部３０ａの裏面と中央部の裏面とにそれぞれ設けられ、マジックテープ片３ａ’が葉片部３０Ａの上端部の裏面に設けられている。一方、左端の葉片部３０（以下、「葉片部３０Ｂ」と記す。）においては、マジックテープ片３ａが、葉片部３０Ｂの下端部３０ａの表面と中央部の表面とにそれぞれ設けられ、マジックテープ片３ａ’が葉片部３０Ｂの上端部の表面と裏面に設けられている。そして、葉片部３０Ａと葉片部３０Ｂとの間に位置する８枚の葉片部３０においては、マジックテープ片３ａ’が、葉片部３０の上端部の表面と裏面とにそれぞれ設けられている。
かかる構造において、葉片部３０Ａのマジックテープ片３ａと対応する葉片部３０Ｂのマジックテープ片３ａ同士とが接合されて、隣り合う葉片部３０Ａ，３０Ｂ同士が連結されている。そして、これら葉片部３０Ａと葉片部３０Ｂとを含む全ての葉片部３０の上端部側が、図２５に示すように、頂部Ｏ側に湾曲され、葉片部３０Ｂの上端部が最下位に位置され、葉片部３０Ａの上端部が最上位に位置された状態で、全ての葉片部３０の上端部がマジックテープ片３ａ’によって頂部Ｏで束ねられる様に連結されている。
【００６５】
かかる連結構造により、葉片部３０Ａのマジックテープ片３ａと葉片部３０Ｂのマジックテープ片３ａとの接合位置を変えることで、オゾン発生体本体３−４の直径を調整することができる。
また、全ての葉片部３０のマジックテープ片３ａ，３ａ’を外すことで、オゾン発生体本体３−４全体を、１０枚の葉片部３０が横方向に並んだ平面形状に展開することができる。
【００６６】
図２７は、第６実施例の変形例に係るオゾン発生体本体の電気的構造を示す平面図である。
この実施例の被り物クリーナ１−６では、図２７に示すように、１０対の電極３１ａ，３１ｂを電圧供給部５（図２５参照）に並列に接続した電気構造を備えている。
すなわち、隣り合う葉片部３０の電極３１ａが順次接続されると共に、隣り合う電極３１ｂも順次接続されている。そして、葉片部３０Ａの端子３１ａ’が、電圧供給部５の配線５ａ（図５等参照）に接続され、葉片部３０Ｂの端子３１ｂ’が、電圧供給部５の配線５ｂに接続されている。
その他の構成、作用及び効果は、上記第１〜第５実施例と同様であるので、それらの記載は省略する。
【００６７】
（実施例７）
次に、この発明の第７実施例について説明する。
図２８は、この発明の第７実施例に係る被り物スタンドの斜視図であり、図２９は、被り物スタンドの概略断面図である。
図２８に示すように、この実施例の被り物スタンド１０−１は、被り物受け部１１と支持部１２と実施例１の被り物クリーナ１−１とで構成されている。
【００６８】
被り物受け部１１は、ヘルメット１００（図１参照）を被せることが可能な略半球状の空洞体である。
また、支持部１２は、被り物受け部１１を上端で支持する起立体であり、円形の台座部１３と台座部１３の上面中央に立設された円筒部１４とで形成されている。
【００６９】
被り物クリーナ１−１のオゾン発生体２は、被り物受け部１１の上に被せられて、固定されており、電圧供給部５は、支持部１２の台座部１３に組み付けられている。
具体的には、図２９に示すように、電圧供給部５の昇圧回路５１が、台座部１３内の中央部に配置され、この昇圧回路５１に電気的に接続されたスイッチ５２とＬＥＤランプ５３とが、台座部１３の天面１３ａに取り付けられている。そして、コンセントプラグ５４が台座部１３の外部に配され、その端部が台座部１３内のスイッチ５２に接続されている。
一方、昇圧回路５１から延出した配線５ａ，５ｂは、支持部１２の円筒部１４内を通って、オゾン発生体２の内面中央部にある端子３１ｅ，端子３１ｆ（図５及び図６を参照）にそれぞれ電気的に接続されている。
【００７０】
かかる構成により、支持部１２を起立させた状態で、ヘルメット１００を被り物受け部１１に被せると、被り物クリーナ１−１のオゾン発生体２がヘルメット１００の内側に配置された状態になり、ヘルメット１００が被り物受け部１１によって確実に保持される。
この状態で、電圧供給部５のスイッチ５２をオンにして、昇圧回路５１を作動させると、所定の電圧が、昇圧回路５１からオゾン発生体２の１２対の電極３１ａ，３１ｂ（図３及び図４参照）に供給され、オゾンが、オゾン発生体２から放出される。
この結果、オゾンがヘルメット１００の内面に向かって放出され、ヘルメット１００の内側が除菌及び脱臭されることとなる。
その他の構成、作用及び効果は、上記第１〜第５実施例と同様であるので、それらの記載は省略する。
【００７１】
（実施例８）
次に、この発明の第８実施例について説明する。
図３０は、この発明の第８実施例に係る被り物スタンドを示す概略断面図である。
図３０に示すように、この実施例の被り物スタンド１０−２は、被り物受け部１１と支持部１２と実施例２の被り物クリーナ１−２とで構成されている。
すなわち、表面に複数の突起状のスペーサ４０を有したオゾン発生体２が、被り物受け部１１に被せられ、電圧供給部５が、支持部１２の台座部１３に組み付けられている。
その他の構成、作用及び効果は、上記第１〜第７実施例と同様であるので、それらの記載は省略する。
【００７２】
（実施例９）
次に、この発明の第９実施例について説明する。
図３１は、この発明の第９実施例に係る被り物スタンドを示す概略断面図である。
図３１に示すように、この実施例の被り物スタンド１０−３は、被り物受け部１１と支持部１２と実施例５の被り物クリーナ１−５とで構成されている。
すなわち、頭頂部３０−１と３つの環状部３０−２〜３０−４と複数のマジックテープ片３ａ’とで形成されたオゾン発生体２が、被り物受け部１１に被せられ、電圧供給部５が、支持部１２の台座部１３に組み付けられている。
その他の構成、作用及び効果は、上記第１〜第８実施例と同様であるので、それらの記載は省略する。
【００７３】
なお、この発明は、上記実施例に限定されるものではなく、発明の要旨の範囲内において種々の変形や変更が可能である。
例えば、上記実施例では、昇圧回路５１で昇圧するための電源として、商用交流電源を適用したが、電池を電源として用いた被り物クリーナ及び被り物スタンドも、この発明の範囲に含まれる。
【００７４】
また、上記第１〜第３，第５及び第６実施例に適用されたのオゾン発生体では、櫛歯状の１対の電極３１ａ，３１ｂを共に誘電体３２内に収納した構成を採用し、第４実施例に適用されたオゾン発生体本体では、一方の電極３１ａを誘電体３２内に収納すると共に他方の電極３１ｂを誘電体３２の上面に設けた構成を適用したが、オゾン発生体本体の構成は、これに限らず、例えば、各対の電極３１ａ，３１ｂを平板状に形成して、これらの電極３１ａ，３１ｂを、一定間隔を保って、横並びにした構成にしても良い。
【００７５】
また、上記実施例では、複数対の電極３１ａ，３１ｂを、電圧供給部５に並列に接続した例を示したが、複数対の電極３１ａ，３１ｂを、電圧供給部５に直列に接続した構造の被り物クリーナ及び被り物スタンドも、この発明の範囲に含まれる。
【００７６】
また、上記実施例では、複数対の電極３１ａ，３１ｂと電圧供給部５との並列接続を端子３１ｃ，３１ｄ，３１ｅ，３１ｆを介して行う構造を例示したが、数対の電極３１ａ，３１ｂと電圧供給部５との並列に接続する構造は、これに限らず、任意に設定することができる。
【００７７】
さらに、上記第１〜第４実施例では、連結部として、帯状体の連結部４を例示したが、連結部は帯状体に限定されない。例えば、複数のマジックテープ片３ａを連結部として適用することができる。
すなわち、図３２に示すように、オゾン発生体本体３−１の各葉片部３０の下端部３０ａにおいて、例えば、マジックテープ片３ａを、各下端部３０ａの左隅表面と右隅裏面にそれぞれ貼り付ておく。そして、隣り合う葉片部３０のうち、一方の葉片部３０の左隅表面のマジックテープ片３ａと他方の葉片部３０の右隅裏面のマジックテープ片３ａとを接合することで、オゾン発生体本体３−１の全体形状を略半球殻状に保持することができる。また、マジックテープ片３ａ同士の接合位置を調整することで、オゾン発生体本体３−１の大きさを調整することができる。
【００７８】
さらに、上記第６実施例は、オゾン発生体本体３−４の全ての葉片部３０の上端部をマジックテープ片３ａ’によって頂部Ｏで束ねることで、連結したが、連結構図はこれに限らない。例えば、ピンや紐等を用いて、全ての葉片部３０の上端部を頂部Ｏで束ねるように連結してもよい。
【００７９】
また、上記第７実施例〜第９実施例の被り物スタンド１０−１〜１０−３では、実施例１，２，５の被り物クリーナ１−１，１−２，１−５を適用した例を示したが、実施例３，４，６の被り物クリーナ１−３，１−４を適用した被り物スタンドも、この発明の範囲に含まれる。
【符号の説明】
【００８０】
１−１〜１−６…被り物クリーナ、  ２…オゾン発生体、  ３ａ，３ａ’…マジックテープ片、  ３ｂ…表面、  ３−１〜３−４…オゾン発生体本体、  ４…連結部、  ４ａ…マジックテープ、  ５ａ，５ｂ…配線、  ５，５−１〜５−３…電圧供給部、  １０−１〜１０−３…被り物スタンド、  １１…被り物受け部、  １２…支持部、  １３…台座部、  １３ａ…天面、  １４…円筒部、  ３０…葉片部、  ３０ａ…下端部、  ３０ｃ…開口、  ３０ｄ…上開口部、  ３０ｅ…下開口部、  ３０−２〜３０−４…環状部、  ３０−１…頭頂部、  ３１ａ，３１ｂ…電極、  ３１ａ’，３１ｂ’…端子部、  ３１ｂ１…円形孔、  ３１ｃ〜３１ｆ，３１ｃ１〜３１ｃ３，３１ｅ１〜３１ｅ３，３１ｆ１〜３１ｆ３  …端子、  ３２…誘電体、  ３２ａ’…ビアホール、  ３２ａ，３２ｂ…誘電体層、  ３３…基材、  ３５…保護層、  ４０〜４４…スペーサ、  ５０…筐体、  ５１…昇圧回路、  ５１ａ，５１ｂ…出力端、  ５２…スイッチ、  ５３…ランプ、  ５４…コンセントプラグ、  ５５…タイマ、  １００…ヘルメット、  １０１…内面、  Ｏ…中心部（頂部）、  ｈ…高さ、  Ｓ…隙間、  Ｋ…菌、  Ｂ…培地、  Ｏ3…オゾン。
【図１】
2019098100.tif 000003
【図２】
2019098100.tif 000004
【図３】
2019098100.tif 000005
【図４】
2019098100.tif 000006
【図５】
2019098100.tif 000007
【図６】
2019098100.tif 000008
【図７】
2019098100.tif 000009
【図８】
2019098100.tif 000010
【図９】
2019098100.tif 000011
【図１０】
2019098100.tif 000012
【図１１】
2019098100.tif 000013
【図１２】
2019098100.tif 000014
【図１３】
2019098100.tif 000015
【図１４】
2019098100.tif 000016
【図１５】
2019098100.tif 000017
【図１６】
2019098100.tif 000018
【図１７】
2019098100.tif 000019
【図１８】
2019098100.tif 000020
【図１９】
2019098100.tif 000021
【図２０】
2019098100.tif 000022
【図２１】
2019098100.tif 000023
【図２２】
2019098100.tif 000024
【図２３】
2019098100.tif 000025
【図２４】
2019098100.tif 000026
【図２５】
2019098100.tif 000027
【図２６】
2019098100.tif 000028
【図２７】
2019098100.tif 000029
【図２８】
2019098100.tif 000030
【図２９】
2019098100.tif 000031
【図３０】
2019098100.tif 000032
【図３１】
2019098100.tif 000033
【図３２】
2019098100.tif 000034
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
（削除）
【請求項２】
ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、
上記オゾン発生体は、誘電体と１対以上の電極とを有し、
各対の電極は、少なくとも一方の電極が上記誘電体で被覆されており、
上記電圧供給部は、オゾンを発生させるために必要な電圧をオゾン発生体の上記１対以上の電極に供給するものである被り物クリーナにおいて、
上記オゾン発生体は、頂部から放射状に延出した状態で全体形状が略半球殻状になるように下方に湾曲された複数の葉片部と、円形状に並ぶ複数の葉片部の下端部に連結して複数の葉片部の全体形状を上記略半球殻状に維持する連結部とを備える、
ことを特徴とする被り物クリーナ。
【請求項３】
請求項２に記載の被り物クリーナにおいて、
上記オゾン発生体は、上記連結部を外すことで、上記複数の葉片部が上記頂部に対応する中心部から放射状に延出した平面形状に展開することができる、
ことを特徴とする被り物クリーナ。
【請求項４】
ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、
上記オゾン発生体は、誘電体と１対以上の電極とを有し、
各対の電極は、少なくとも一方の電極が上記誘電体で被覆されており、
上記電圧供給部は、オゾンを発生させるために必要な電圧をオゾン発生体の上記１対以上の電極に供給するものである被り物クリーナにおいて、
上記オゾン発生体は、複数の下端部が円形状に連結された状態で全体形状が略半球殻状になるように上方に湾曲された複数の葉片部と、これら複数の葉片部の上端部の全てを頂部で連結すると共に隣り合う特定の葉片部同士を連結して複数の葉片部の全体形状を上記略半球殻状に維持する連結部とを備える、
ことを特徴とする被り物クリーナ。
【請求項５】
請求項４に記載の被り物クリーナにおいて、
上記オゾン発生体は、上記連結部を外すことで、上記複数の下端部が連結した状態で複数の葉片部が横方向に並んだ平面形状に展開することができる、
ことを特徴とする被り物クリーナ。
【請求項６】
ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、
上記オゾン発生体は、誘電体と１対以上の電極とを有し、
各対の電極は、少なくとも一方の電極が上記誘電体で被覆されており、
上記電圧供給部は、オゾンを発生させるために必要な電圧をオゾン発生体の上記１対以上の電極に供給するものである被り物クリーナにおいて、
上記オゾン発生体は、複数の環状部とこれらを連結した連結部とを備え、
各環状部の下開口部の大きさが、上開口部の大きさよりも大きく設定され、
上位の環状部の下開口部の大きさとこの上位の環状部に連結される下位の環状部の上開口部の大きさとが、略等しく設定され、
上記上位の環状部の下開口部が上記下位の環状部の上開口部に嵌め合わせられた状態で、上記複数の環状部が、頂部から下方に向かって直列に配設され、
上記連結部によって、上記上位の環状部と上記下位の環状部とが上下方向に移動可能に連結されている、
ことを特徴とする被り物クリーナ。
【請求項７】
請求項２ないし請求項６のいずれかに記載の被り物クリーナにおいて、
上記オゾン発生体の誘電体は、誘電率３以上で且つ絶縁破壊電圧１５ｋＶ／ｍｍ以上の高分子樹脂で形成されている、
ことを特徴とする被り物クリーナ。
【請求項８】
請求項２ないし請求項７のいずれかに記載の被り物クリーナにおいて、
上記オゾン発生体の表面に、オゾン発生体表面と被り物内面との距離を１０ｍｍ以下に保持するためのスペーサを設けた、
ことを特徴とする被り物クリーナ。
【請求項９】
請求項８に記載の被り物クリーナにおいて、
上記スペーサは、上記オゾン発生体の表面に突設された高さ１０ｍｍ以下の突起物である、
ことを特徴とする被り物クリーナ。
【請求項１０】
請求項８に記載の被り物クリーナにおいて、
上記スペーサは、上記オゾン発生体の表面に取り付けられた高さ１０ｍｍ以下の線状体である、
ことを特徴とする被り物クリーナ。
【請求項１１】
請求項２ないし請求項１０のいずれかに記載の被り物クリーナにおいて、
上記オゾン発生体における各対の電極は、それぞれ櫛歯状に形成され、これら各対の電極の櫛歯同士が、一定間隔を保って、噛み合っている、
ことを特徴とする被り物クリーナ。
【請求項１２】
請求項２ないし請求項１０のいずれかに記載の被り物クリーナにおいて、
上記オゾン発生体における各対の電極の一方の電極を、上記誘電体内部に収納し、多数の孔を有した他方の電極又は櫛歯状の他方の電極のいずれかを、当該一方の電極に対向させた状態で、上記誘電体上に配設した、
ことを特徴とする被り物クリーナ。
【請求項１３】
（削除）
【請求項１４】
ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、
上記オゾン発生体は、誘電体と１対以上の電極とを有し、
各対の電極は、少なくとも一方の電極が上記誘電体で被覆されており、
上記電圧供給部は、オゾンを発生させるために必要な電圧をオゾン発生体の上記１対以上の電極に供給するものである被り物クリーナにおいて、
上記オゾン発生体の表面に、オゾン発生体表面と被り物内面との距離を１０ｍｍ以下に保持するためのスペーサを設けた、
ことを特徴とする被り物クリーナ。
【請求項１５】
請求項１４に記載の被り物クリーナにおいて、
上記スペーサは、上記オゾン発生体の表面に突設された高さ１０ｍｍ以下の突起物である、
ことを特徴とする被り物クリーナ。
【請求項１６】
請求項１４に記載の被り物クリーナにおいて、
上記スペーサは、上記オゾン発生体の表面に取り付けられた高さ１０ｍｍ以下の線状体である、
ことを特徴とする被り物クリーナ。
【請求項１７】
請求項１４ないし請求項１６のいずれかに記載の被り物クリーナにおいて、
上記オゾン発生体における各対の電極は、それぞれ櫛歯状に形成され、これら各対の電極の櫛歯同士が、一定間隔を保って、噛み合っている、
ことを特徴とする被り物クリーナ。
【請求項１８】
請求項１４ないし請求項１６のいずれかに記載の被り物クリーナにおいて、
上記オゾン発生体における各対の電極の一方の電極を、上記誘電体内部に収納し、多数の孔を有した他方の電極又は櫛歯状の他方の電極のいずれかを、当該一方の電極に対向させた状態で、上記誘電体上に配設した、
ことを特徴とする被り物クリーナ。
【請求項１９】
請求項１４ないし請求項１８のいずれかに記載の被り物クリーナにおいて、
上記オゾン発生体の誘電体は、誘電率３以上で且つ絶縁破壊電圧１５ｋＶ／ｍｍ以上の高分子樹脂で形成されている、
ことを特徴とする被り物クリーナ。
【手続補正３】
【補正対象書類名】明細書
【補正対象項目名】０００１
【補正方法】変更
【補正の内容】
【０００１】
技術分野
［０００１］
この発明は、ヘルメット、帽子及びカツラ等の被り物を除菌及び脱臭することができる被り物クリーナに関するものである。
背景技術
［０００２］
ヘルメット、帽子及びカツラ等の被り物の洗浄は、水洗いが一般的である。従来、この種の技術としては、例えば、特許文献１に記載の被り物クリーナがある。
この被り物クリーナは、ヘルメット等の被り物を内部に固定する洗浄槽と、被り物の洗浄手段と乾燥手段を備えている。
かかる構成により、被り物に付着していた汗、皮脂、臭気等が、羽根車によって流動された洗浄水の機械力とこの洗浄水に混合された洗剤の化学作用とにより取り除かれる。
［０００３］
また、別の技術として、例えば、特許文献２に記載の被り物クリーナがある。
この被り物クリーナは、被り物を載置する略半球状の載置台と、オゾンを生成するためのオゾン生成手段と、生成されたオゾンを含んだ空気を吹出口から吹き出させる送風ファンとを備えている。そして、全体としてスタンド形状をしている。
かかる構成により、被り物を載置台に被せた状態で、被り物クリーナを駆動させると、オゾン生成手段で生成されたオゾンが、送風ファンによって空気と共に載置台の吹出口から吹き出され、被り物の内面が、このオゾンによって除菌及び脱臭される。
先行技術文献
特許文献
［０００４］
特許文献１：特開平１０−１９２７９８号公報
【手続補正４】
【補正対象書類名】明細書
【補正対象項目名】０００２
【補正方法】変更
【補正の内容】
【０００２】
特許文献２：実用新案登録第３０６７６５３号公報
発明の概要
発明が解決しようとする課題
［０００５］
しかし、上記した従来の被り物クリーナでは、次のような問題があった。
まず、被り物を水と洗剤とで洗浄する被り物クリーナでは、水を洗浄槽内に給水及び排水するための設備や乾燥のための電源装置が必要であるため、被り物クリーナを設置する場所が限定される問題がある。また、水洗いが禁止されている革製の被り物等には、使用することができない。また、水洗いであるため、除菌や脱臭効果が低いという問題もある。
［０００６］
これに対して、被り物をオゾンを用いて除菌及び脱臭する被り物クリーナでは、水洗い用の被り物クリーナで生じた問題が生じるおそれはないが、送風ファン等の大型の装置を被り物クリーナの内部に装着する必要があるため、被り物クリーナ自体が大型化してしまう。また、オゾン生成手段と送風ファンを駆動させるために、大きな電力を電源からこれらの装置に供給しなければならず、消費電力の面でも問題がある。
［０００７］
この発明は、上述した課題を解決するためになされたもので、あらゆる素材の被り物を除菌及び脱臭することができ、しかも、小型で且つ低消費電力の被り物クリーナを提供することを目的とする。
課題を解決するための手段
［０００８］
［０００９］
請求項２の発明は、ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、オゾン発生体は、誘電体と１対以上の電極とを有し、各対の電極は、少なくとも一方の電極が誘電体で被覆されており、電圧供給部は、オゾンを発生させるために必要な電圧をオゾン発生体の１対以上の電極に供給するものである被り物クリーナにおいて、オゾン発生体は、頂部から放射状に延出した状態で全体形状が略半球殻状になるように下
【手続補正５】
【補正対象書類名】明細書
【補正対象項目名】０００３
【補正方法】変更
【補正の内容】
【０００３】
方に湾曲された複数の葉片部と、円形状に並ぶ複数の葉片部の下端部に連結して複数の葉片部の全体形状を略半球殻状に維持する連結部とを備える構成とした。
かかる構成により、ユーザは、ヘルメット等の被り物を、略半球殻状のオゾン発生体に被せることができる。又は、略半球殻状のオゾン発生体を、被り物の内面側に挿入することができる。このとき、被り物の内面形状が略半球状であれば、オゾン発生体が被り物の内側にフィットする。また、被り物の内面形状が略半球状でない場合であっても、オゾン発生体がフレキシブルな素材で形成されているので、オゾン発生体が被り物の内面形状に追従して変形し、被り物の内側にフィットする。
この状態で、電圧供給部を作動させると、所定の電圧が、オゾン発生体の１対以上の電極に供給され、オゾンが、オゾン発生体から放出される。
このとき、オゾン発生体の表面が、被り物の内面に近接した状態になっているので、オゾン発生体から放出されたオゾンが、被り物の内側を十分に除菌及び脱臭する。
つまり、被り物は、その素材の種類に拘わらず、近くのオゾン発生体から放出されたオゾンによって十分に除菌及び脱臭されることとなる。このため、上記した従来の被り物クリーナでは、オゾン送風用の送風ファン等の器具が必要であったが、この発明の被り物クリーナでは、これらの器具が不要となり、その分、被り物クリーナの小型化と省電力化とを図ることができる。
また、隣り合う葉片部同士を近けたり又は離したりして、オゾン発生体の直径を調整することができるので、各種サイズの被り物をオゾン発生体に被せて、除菌及び脱臭することができる。
［００１０］
請求項３の発明は、請求項２に記載の被り物クリーナにおいて、オゾン発生体は、連結部を外すことで、複数の葉片部が頂部に対応する中心部から放射状に延出した平面形状に展開することができる構成とした。
かかる構成により、被り物クリーナの未使用時に、オゾン発生体を平面形状に展開することで、被り物クリーナ全体をさらに小型化することができる
【手続補正６】
【補正対象書類名】明細書
【補正対象項目名】０００４
【補正方法】変更
【補正の内容】
【０００４】
。その結果、未使用時における被り物クリーナの保管場所を省スペース化することができる。
また、オソン発生体を平面形状に展開して、被り物クリーナを使用することで、立体的な被り物だけでなく、平面的な物も除菌及び脱臭することができる。
［００１１］
請求項４の発明は、ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、オゾン発生体は、誘電体と１対以上の電極とを有し、各対の電極は、少なくとも一方の電極が誘電体で被覆されており、電圧供給部は、オゾンを発生させるために必要な電圧をオゾン発生体の１対以上の電極に供給するものである被り物クリーナにおいて、オゾン発生体は、複数の下端部が円形状に連結された状態で全体形状が略半球殻状になるように上方に湾曲された複数の葉片部と、これら複数の葉片部の上端部の全てを頂部で連結すると共に隣り合う特定の葉片部同士を連結して複数の葉片部の全体形状を略半球殻状に維持する連結部とを備える構成とした。
［００１２］
請求項５の発明は、請求項４に記載の被り物クリーナにおいて、オゾン発生体は、連結部を外すことで、複数の下端部が連結した状態で複数の葉片部が横方向に並んだ平面形状に展開することができる構成とした。
［００１３］
請求項６の発明は、ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、オソン発生体は、誘電体と１対以上の電極とを有し、各対の電極は、少なくとも一方の電極が誘電体で被覆されており、電圧供給部は、オゾンを発生させるために必要な電圧をオゾン発生体の１対以上の電極に供給するものである被り物クリーナにおいて、オゾン発生体は、複数の環状部とこれらを連結した連結部とを備え、各環状部の下開口部の大きさが、上開口部の大きさよりも大きく設定され、上位の環状部の下開
【手続補正７】
【補正対象書類名】明細書
【補正対象項目名】０００５
【補正方法】変更
【補正の内容】
【０００５】
口部の大きさとこの上位の環状部に連結される下位の環状部の上開口部の大きさとが、略等しく設定され、上位の環状部の下開口部が下位の環状部の上開口部に嵌め合わせられた状態で、複数の環状部が、頂部から下方に向かって直列に配設され、連結部によって、上位の環状部と下位の環状部とが上下方向に移動可能に連結されている構成とした。
かかる構成により、ユーザは、ヘルメット等の被り物を、略半球殻状のオゾン発生体に被せることができる。又は、略半球殻状のオゾン発生体を、被り物の内面側に挿入することができる。このとき、上位の環状部と下位の環状部とを上下方向に移動させて、複数の環状部を連結部で連結することにより、オゾン発生体の深さを自由に調整することができる。
［００１４］
請求項７の発明は、請求項２ないし請求項６のいずれかに記載の被り物クリーナにおいて、オゾン発生体の誘電体は、誘電率３以上で且つ絶縁破壊電圧１５ｋＶ／ｍｍ以上の高分子樹脂で形成されている構成とした。
かかる構成により、オゾン発生体が高電圧に耐え得る強い素材になり、しかも、オゾンを生じさせるためのプラズマが発生し易くなる。
［００１５］
請求項８の発明は、請求項２ないし請求項７のいずれかに記載の被り物クリーナにおいて、オゾン発生体の表面に、オゾン発生体表面と被り物内面との距離を１０ｍｍ以下に保持するためのスペーサを設けた構成とする。
かかる構成により、除菌及び脱臭し難いざらざらした内面や布等の内面等を有する被り物であっても、確実且つ効果的に除菌及び処理することができる。
［００１６］
請求項９の発明は、請求項８に記載の被り物クリーナにおいて、スペーサは、オゾン発生体の表面に突設された高さ１０ｍｍ以下の突起物である構成とした。
［００１７］
請求項１０の発明は、請求項８に記載の被り物クリーナにおいて、スペーサは、オゾン発生体の表面に取り付けられた高さ１０ｍｍ以下の線状体である構成とした。
［００１８］
請求項１１の発明は、請求項２ないし請求項１０のいずれかに記載の被り
【手続補正８】
【補正対象書類名】明細書
【補正対象項目名】０００６
【補正方法】変更
【補正の内容】
【０００６】
物クリーナにおいて、オゾン発生体における各対の電極は、それぞれ櫛歯状に形成され、これら各対の電極の櫛歯同士が、一定間隔を保って、噛み合っている構成とした。
［００１９］
請求項１２の発明は、請求項２ないし請求項１０のいずれかに記載の被り物クリーナにおいて、オゾン発生体における各対の電極の一方の電極を、誘電体内部に収納し、多数の孔を有した他方の電極又は櫛歯状の他方の電極のいずれかを、当該一方の電極に対向させた状態で、誘電体上に配設した構成とする。
［００２０］
請求項１４の発明は、ヘルメット等の被り物を被せることが可能で且つフレキシブルな素材で形成された略半球殻状のオゾン発生体と、オゾンを発生させるために必要な電圧をこのオゾン発生体に供給するための電圧供給部とを備える被り物クリーナであって、オゾン発生体は、誘電体と１対以上の電極とを有し、各対の電極は、少なくとも一方の電極が誘電体で被覆されており、電圧供給部は、オゾンを発生させるために必要な電圧をオゾン発生体の１対以上の電極に供給するものである被り物クリーナにおいて、オゾン発生体の表面に、オゾン発生体表面と被り物内面との距離を１０ｍｍ以下に保持するためのスペーサを設けた構成とする。
請求項１５の発明は、請求項１４に記載の被り物クリーナにおいて、スペーサは、オゾン発生体の表面に突設された高さ１０ｍｍ以下の突起物である構成とした。
請求項１６の発明は、請求項１４に記載の被り物クリーナにおいて、スペーサは、オゾン発生体の表面に取り付けられた高さ１０ｍｍ以下の線状体である構成とした。
請求項１７の発明は、請求項１４ないし請求項１６のいずれかに記載の被り物クリーナにおいて、オゾン発生体における各対の電極は、それぞれ櫛歯状に形成され、これら各対の電極の櫛歯同士が、一定間隔を保って、噛み合っている構成とした。
請求項１８の発明は、請求項１４ないし請求項１６のいずれかに記載の被り物クリーナにおいて、オゾン発生体における各対の電極の一方の電極を、誘電体内部に収納し、多数の孔を有した他方の電極又は櫛歯状の他方の電極のいずれかを、当該一方の電極に対向させた状態で、誘電体上に配設した構成とする。
請求項１９の発明は、請求項１４ないし請求項１８のいずれかに記載の被り物クリーナにおいて、オゾン発生体の誘電体は、誘電率３以上で且つ絶縁破壊電圧１５ｋＶ／ｍｍ以上の高分子樹脂で形成されている構成とした。
発明の効果
［００２１］
以上詳しく説明したように、この発明によれば、被り物の素材の種類に拘わらず、被り物を近くのオゾン発生体から放出されたオゾンによって十分に除菌及び脱臭することができるので、オゾン送風用の送風ファン等の器具が不要となり、その分、被り物クリーナの小型化と省電力化とを図ることができる、という優れた効果がある。
［００２２］
また、請求項２及び請求項４の発明によれば、各種サイズの被り物に対して除菌及び脱臭することができる、という効果がある。
［００２３］
さらに、請求項３及び請求項５の発明によれば、被り物クリーナ全体をさらに小型化することができ、その結果、未使用時における被り物クリーナの保管場所を省スペース化することができると共に、立体的な被り物だけでなく、平面的な物も除菌及び脱臭することができる、という効果がある。
［００２４］
また、請求項６の発明によれば、オゾン発生体の深さを自由に調整することができる、という効果がある。
［００２５］
また、請求項７の発明によれば、オゾン発生体が高電圧に耐え得る強い素材になり、しかも、オゾンを生じさせるためのプラズマが発生し易くなる、という効果がある。
【国際調査報告】
2019098100.tif 000035
2019098100.tif 000036
2019098100.tif 000037